(57)【要約】【目的】コンピューター画面に図１のような左右の斜線や縦線を表示し、これらの線を利用して、立体図を製作する。【構成】一連の画像の表示や作成のコンピューター−グラフィックスをつくりプログラム化し、これをコンピューターに内蔵する。或いは、コンピューターにセットできるソフトをつくる。【選択図】図１
2004227549.tif 000002
【特許請求の範囲】
【請求項１】
図１・図２のような１−右斜線・２−左斜線・３−縦線をコンピューター画面に表示し、この線を拠り所に任意の図形を描けるようにした。
この画面に表示された、１−右斜線と２−左斜線とを特徴とするコンピュータでの立体図製作法。
【発明の詳細な説明】
【０００１】
【発明の属する技術分野】
この発明は、コンピューターに図１・図２のような１−右斜線と２−左斜線を主にした表示線に縦線などを付随させて表示し、これらの表示線を利用してコンピューターで立体図を制作するものである。
【０００２】
【従来の技術】
従来のパーソナル−コンピューターやワードプロセッサー等のコンピューターには容易に立体図を製作できるものはなかった。
それで、得意先に立体図を添えて見積書を提出する時などは、定規・コンパス等を使用しての立体図の製作が必要で、製図の心得のある者がいない事業所などでは困惑しうろたえた。
【０００３】
【発明が解決しようとする課題】
したがって、製図の定規やコンパスに不慣れな人でもマウス−ポインタやキーボードのキーを操作して、コンピューターで明瞭な立体図を製作しようとするものである。
【０００４】
【課題を解決するための手段】
その為には、図１・図２のような１−右斜線と２−左斜線、この斜線に３−縦線を加えた、これらの線をコンピューター画面に表示する。
そして、これらの線上あるいは線と線の間にマウス−ポインタやキーボードのキーで任意の線を引いたり図形・文字・記号などをかいたり表示できるようにする事である。
【０００５】
【発明の実態の形態】
１図や図２のような左右の斜線や縦線を画面に表示し、これらの線の上や線と線との間に任意の線を引いたり、任意の図形・文字・記号・横線などをかいたり表示したり、更には  印刷等ができようにする。
これら一連の画像の表示や作成のコンピューター−グラフィックスをつくりプログラム化して、これをコンピューターに内蔵したりコンピューターにセットでできるソフトで任意の立体図を製作するものである。
【０００６】
【発明の効果】
このコンピューターグラフィックスをプログム化したものを内蔵したコンピューターやソフトを使用する事による効果は次のとおりである。
手軽に速く明瞭に任意の立体図を作成できる。それで得意先など相手方に工事や商品の趣旨が明確に分かってもらえる。
それで、間違いが少なく話合いや交渉もスムーズに進める事ができる。
【図面の簡単な説明】
【図１】給水管の簡略立体図である。
【図２】コンクリートの建物の窓などの空間を取る為の木枠である。
【符号の説明】
１−右斜線
２−左斜線
３−縦線
４−平面図の主管
５−３０°勾配の主管
６−引き込み菅
７−立上がり菅
８−弁。
９−枝菅
１０−木枠の外側
１１−木枠の内側
１２−接合部分
尚、この図面の左右の斜線は、左斜線３０°・右斜線３０°をとり３０°の図形を描くものである。
したがって、左斜線２０°や４５°、右斜線２０°や４５°等として、任意の度数の立体図を描いてもよい。
【図１】
2004227549.tif 000003
【図２】
2004227549.tif 000004
【手続補正書】
【提出日】平成16年1月22日(2004.1.22)
【手続補正１】
【補正対象書類名】明細書
【補正対象項目名】全文
【補正方法】変更
【補正の内容】
【特許請求の範囲】
【請求項１】コンピュータ画面に右斜線１と左斜線２とを以て、全ての辺の長さが等しく、どの角も直角でない多数同一の四辺形３を形づくる。
次にこの多数同一の四辺形を拠り所に任意の図とこの図に関係する事柄を入力できるようにプログラミングした事を特徴とする、コンピューターでの立体図製作法。
【発明の詳細な説明】
【０００１】
【発明の属する技術分野】
この発明は立体図の製図などに疎い人にも容易に作図できるようした、コンピューターでの立体図製作法に関するものである。
【０００２】
【従来の技術】
従来のパーソナル−コンピューター等のコンピューターには容易に立体図を製図できるものはなかった。
それで、立体図を添えて見積書を提出する時には、定規・コンパス等での立体図の製図が必要で製図者不在の小規模な設備会社などでは困惑した。
加えて、用紙に左斜線１と右斜線２とを以て、全ての辺の長さが等しく、どの角度も直角でない多数同一の四辺形を描き、これを拠り所に製図をしたところ、作図の後でこの四辺形が妨げとなった。
【０００３】
【発明が解決しょうとする課題】
従来のコンピューターでの立体製図を最も困難にしたのは、ディスプレイにおいての遠近と角度の理解が難しかったからである。
それで、従来のコンピューター作図法を見直し、ディスプレイでの遠近と角度を容易に理解する事によって迅速に正確明瞭な立体図をコンピューターで作図を出来るようにしょうとするものである。
【０００４】
【課題を解決するための手段】
コンピューターでの立体製図を容易にするには下記の通りにするとよい。
１−ディスプレイに右斜線１と左斜線２とを以て、全ての辺の長さが等しく、どの角も直角でない多数同一の四辺形を形づくって表示する。
このようにすると、右斜線１と左斜線が交わる垂直部分は縦の線が引ける目当てとなり、水平の部分は横の線を引く目当てとなる。
それで、これらの四辺形を拠り所に遠近感と角度を理解し、任意の立体図を製図できるようにプログラミングする。
加えて、右斜線１と左斜線２とが交わる垂直の部分に縦線３を表示し、水平の部分に横の線を表示して更に容易に立体図の作図ができるようにプログラミングにしてもよい。
右斜線１・左斜線２・縦線３の線としては、図のような実線や点線・鎖線・破線などの線がある。
２−ディスプレイに表示された右斜線１と左斜線２。或いは、この斜線に加えた縦線３や横の線を拠り所に作成した立体製図面に水道・電気などの記号や各種のテンプレート、文言等を入力できるようにプログラミングする。
３−作図の為にディスブレイに表示した右斜線１と右斜線２や縦線３等を外して印刷できるようにプログラミングする。
プログラミングはコンピューターに内蔵する方法とソフトでの方法がある。
【０００５】
【実施例】
実施例１
図１は実施例１を示すディスプレイに入力した給水管の立体図である。
実施例１のものは下記の通りである。
１−ディスプレイに表示された左斜線１・右斜線２・縦線３の線上にマウスを用い、３０°勾配の主管５・引き込み管６・立上がり管７・枝管９の図形罫線を引いたものである。
２−左斜線１と右斜線２とが交わる水平部分に平面図の主管４の図形罫線を引いたものである。水道記号の弁８はプログラミングしたものの画像を貼り込んだものである。
３−各主要な箇所に引き出し線を引き、その一端に数字と名称をキーで入力したものである。
【０００６】
実施例２
図２は実施例２を示すディスプレイに入力した木枠の立体図である。
実施例２のものは右斜線１・左斜線２・縦線３の線上にマウスで木枠の形に図形罫線を引いたものである。その主要箇所に引き出し線を引き、引き出し線の一端に数字と名称をキーで入力したものである。
以上のようにディスプレイで作図を終了させて、右斜線１・左斜線２・縦線３を外して印刷をすると見積書に添えて提出できる立体図となる。
【０００７】
【発明の効果】
１−ディスプレイに右斜線１と左斜線２とを以て、全ての辺が等しく、どの角も直角でない多数同一の四辺形を形づくり表示する事により、作図にあたり遠近と角度が明確に解り、それで図形罫線を迅速に引けと同時に正確明瞭な立体図に仕上げる事が出来る。
２−必要な記号やテンプレトが任意の箇所に貼り込む事ができるので手数が省け迅速に作図は進む。
３−右斜線１・左斜線２・縦綿３は外して印刷できるので、図面が明瞭である。
それで、図面を参考にしての見積もり計算の間違いが少なく、注文主にも仕事の内容が容易に理解してもらえる。
【図面の簡単な説明】
【図１】給水管の立体図である。
【図２】建造物の窓の木枠である。
【符号の説明】
１−右斜線                      ７−立上がり管
２−左斜線                      ８−弁
３−縦線                        ９−枝管
４−平面図の主管              １０−木枠の外側
５−３０°勾配主管            １１−木枠の内側
６−引き込み管                １２−接合部分
尚、右斜線１と左斜線２との勾配を２０度にすると２０度の立体図を作図でき、３０度の勾配にすると３０度の立体図に仕上げる事ができる。
それで、任意の角度の立体図に仕上げるには、右斜線１と左斜線２の勾配角度をその立体図の角度と同一にするとよい。